(57)【特許請求の範囲】
【請求項１】
木質構造用パネル（１ａ，２ａ，２´ａ）と、合成樹脂を発泡成形した断熱層（１ｂ，２ｂ，２´ｂ）との層間に、両面に接着剤を塗布した防湿性のプラスチックフィルム（１ｃ，２ｃ，２´ｃ）を中間層として介在して層着一体化した壁パネル（１，２，２´）とし、該壁パネルの断熱層（１ｂ，２ｂ，２´ｂ）の両側面には、接合用の相欠け（ｐ，ｑ）を形成すると共に、プラスチックフィルム（１ｃ，２ｃ，２´ｃ）と近接した位置に溝（Ｇ１）を、上下全長に亘って形成し、壁パネル（１，２，２´）面の適所に型枠金具挿入孔（ｈ）を穿設し、該壁パネル（１，２，２´）を、両側の壁パネル間に亘って、該溝（Ｇ１）に差渡し状に防湿性のジョイント板（２５ａ，２５ｂ，２５ｃ）を挿入して、両側の壁パネル（１，２，２´）を相欠け接合（Ｊ）し、断熱層（１ｂ，２ｂ，２´ｂ）面が打設コンクリートを規定するようにコンクリート壁の内側型枠（１Ｆ）として用いてコンクリート壁（４）と一体化した、防湿断熱壁パネルを用いた内断熱コンクリート壁構造。
【請求項２】
木質構造用パネル（１ａ）、断熱層（１ｂ）が平坦な平板壁パネル（１）である請求項１の内断熱コンクリート壁構造。
【請求項３】
出隅コーナー部（Ｃ）には、断熱層（２ｂ）を外側に、木質構造用パネル（２ａ）を内側として直交接合した出隅壁パネル（２）を用いた、請求項１の内断熱コンクリート壁構造。
【請求項４】
入隅コーナー部（Ｃ´）には、断熱層（２´ｂ）を内側に、木質構造用パネル（２´ａ）を外側として直交接合した入隅壁パネル（２´）を用いた、請求項１の内断熱コンクリート壁構造。
【請求項５】
壁パネル（１，２，２´）の上端には、全幅に亘って木質構造用パネル（１ａ，２ａ，２´ａ）から小寸の断熱層むき出し部（１ｂ´，２ｂ´，２´ｂ´）を形成しておき、成形断熱材（３ｂ）と木質構造用板（３ａ）とを、防湿性フィルム（３ｃ）で層着した床スラブパネル（３）を、木質構造用板（３ａ）を下面に、且つ成形断熱材（３ｂ）の側面を該むき出し部（１ｂ´，２ｂ´，２´ｂ´）に当接配置した、請求項１乃至４のいずれか１項の内断熱コンクリート壁構造。
【請求項６】
壁パネルの断熱層（１ｂ，２ｂ，２´ｂ）の上下接合部（Ｊｓ）のプラスチックフィルム（１ｃ，２ｃ，２´ｃ）には、全幅に亘って補助防湿フィルム（１ｃ´）を配置した、請求項１乃至５のいずれか１項の内断熱コンクリート壁構造。
【請求項７】
壁パネル（１，２，２´）の溝（Ｇ１）から木質構造用パネル（１ａ，２ａ，２´ａ）の表面に亘り、溝（Ｇ１）と連通する切欠（Ｊｃ）を上下全長に亘って配置し、中央に突片（２５Ｐ）を備えたジョイント板（２５ｂ）を、突片（２５Ｐ）を両側の切欠（Ｊｃ）で形成された溝（Ｇ２）内に嵌合して溝（Ｇ１）に挿入した、請求項１乃至６のいずれか１項の内断熱コンクリート壁構造。
【請求項８】
壁パネル（１，２，２´）の断熱層（１ｂ，２ｂ，２´ｂ）の中間適所に、プラスチックフィルム（１ｃ，２ｃ，２´ｃ）で覆われ、且つ、壁パネル（１，２，２´）を上下に貫通している溝（Ｇ３）を配置した、請求項１乃至７のいずれか１項の内断熱コンクリート壁構造。
【発明の詳細な説明】
【０００１】
【発明の属する技術分野】
本発明は、鉄筋コンクリート造の内断熱壁構造に関するものであり、型枠兼用の新規な防湿断熱壁パネルを用いて断熱性に優れ、内部結露の抑制出来るコンクリート壁構造を提供するものであり、建築の技術分野に属するものである。
【０００２】
【従来の技術】
〔特許文献１〕  特許第１９８９４１０号（特開平５−１７１７２３号）公報
鉄筋コンクリート造建築物の断熱層としては、ＪＩＳＡ―９５１１にある発泡プラスチック系の板状成形断熱材が用いられていたが、現状では、ウレタン現場発泡断熱手段が最も多く用いられている。
そして、成形断熱材を用いて内断熱コンクリート壁を形成する場合は、コンクリート打設用の壁型枠の内側型枠用合板に断熱材を釘で固定し、外側型板と断熱材との間にコンクリートを打設して、コンクリート壁の内側に断熱材を一体化し、型枠を解体除去して成形断熱材に石膏ボード等の仕上材を張着している。
【０００３】
最近になって、断熱材に対する仕上材の取付けを合理化したものが提案されており、特許文献１（従来例）に示す特許第１９８９４１０号として、型枠、内装下地兼用断熱パネルがある。
即ち、従来例は、図８（Ａ）に示すとおり、ビーズ法成形ポリスチレンフォームの断熱材に、剛性の強い補強材を端太間隔に埋設成形し、成形断熱材の両側面には当接接合用の相欠けを形成したパネルを用いるものであり、コンクリート型枠組みに際しては、補強材が、断熱板にコンクリート型板としての強度を付与すると共に、端太材の機能も奏し、コンクリート壁養生後の壁仕上げに際しては、図８（Ｂ）に示すとおり、石膏ボード等の内装材と共にボードを下地材としての補強材に釘打ち張着するものである。
【０００４】
【発明が解決しようとする課題】
図８（Ａ），（Ｂ）に示す従来例の物は、型枠解体後には、コンクリート壁と一体となって内断熱コンクリート壁を形成するが、石膏ボード等の所望内装表装材を下地材としての補強材に釘打ち張設する必要があり、また、コンクリート壁と断熱材との間に内部結露を生じ、カビやダニの発生を生じて室内側の住環境が良くない。
更には、断熱材中に、下地材としての補強材を埋設するため、断熱材より熱伝導率の高い補強材の存在により、断熱材（断熱層）の断熱性能も低下する。
本発明は、新規な型枠兼用の防湿断熱壁パネルを用いて、これら従来例の問題点を一挙に解決又は改善するものである。
【０００５】
【課題を解決するための手段、及び作用】
本発明の内断熱コンクリート壁構造は、例えば図１，図２，図６（Ａ）に示す如く、木質構造用パネル１ａ，２ａ，２´ａと、合成樹脂を発泡成形した断熱層１ｂ，２ｂ，２´ｂとの層間に、両面に接着剤を塗布した防湿性のプラスチックフィルム１ｃ，２ｃ，２´ｃを中間層として介在して層着一体化した壁パネル１，２，２´とし、該壁パネルの断熱層１ｂ，２ｂ，２´ｂの両側面には、接合用の相欠けｐ，ｑを形成すると共に、プラスチックフィルム１ｃ，２ｃ，２´ｃと近接した位置に溝Ｇ１を、上下全長に亘って形成し、壁パネル１，２，２´面の適所に型枠金具挿入孔ｈを穿設し、該壁パネル１，２，２´を、両側の壁パネル間に亘って、該溝Ｇ１に差渡し状に防湿性のジョイント板２５ａ，２５ｂ，２５ｃを挿入して、両側の壁パネル１，２，２´を相欠け接合Ｊし、断熱層１ｂ，２ｂ，２´ｂ面が打設コンクリートを規定するように、コンクリート壁の内側型枠１Ｆとして用いてコンクリート壁４と一体化したものである。
【０００６】
尚、「木質構造用パネル」は、典型的には、樹木の小径、間伐材等を長さ１１３mm前後、幅１１mm前後、厚さ０．６mm前後の短冊状の削片とし、表裏層はパネル長手方向に配向し、芯層はパネル幅方向に配向させて、３層又は５層の配向層形態とし、合成樹脂接着剤を結合剤として成板したＯＳＢ（オリエンテッド・ストランド・ボード）と称される９．５mm厚の板材であるが、構造材としての強度、寸法安定性を備えた木質板材であれば良い。
また、「防湿性のプラスチックフィルム」は、透湿阻止機能を備えたものであれば良い。
また、防湿断熱壁パネルの全体形状は、所望建築物のコンクリート壁構造に応じて、成形材である木質構造用パネル１ａ（２ａ，２´ａ）及び断熱層１ｂ（２ｂ，２´ｂ）を適切に層着することにより、平坦にも、弯曲形態にも出来る。
【０００７】
そして、該防湿断熱壁パネル１（２，２´）は、従来例同様に、コンクリート壁型枠板として断熱層をコンクリートと一体化するものであり、型枠組みに際しては、木質構造用パネル１ａ（２ａ，２´ａ）が型板としての十分な強度を発揮して作業が合理化出来、コンクリート壁４の形成後は、木質構造用パネル１ａが室内側の表装材となって、コンクリート壁仕上げでは、もはや表装材の釘打ち張設作業が不要となり、表装作業が大幅に合理化出来る。
しかも、表装面材としての木質構造用パネル１ａ（２ａ，２´ａ）は、フック、洋服掛け、カーテンレール等のネジ取付けも可能であると共に、熱伝導率が小さく（石膏ボードの１／２）て、室内熱を外側に伝達するのを阻止するため、表装面材の表面温度と室内気温との差が小さくて表面結露も防止出来、快適室温を保つことが出来る。
また、パネル側面の相欠けｐ，ｑ接合により、コンクリートのノロ漏れ（セメントペースト漏れ）がなく、熱橋の無い壁が得られる。
【０００８】
また、該壁パネル１（２，２´）は、型枠金具挿通孔ｈを所定位置に設けているため、型枠組み作業も迅速、適切、且つ、合理的に実施出来る。
そして、防湿性のプラスチックフィルム１ｃの存在により、室内側から木質構造用パネル１ａを透過する水蒸気は、透湿抵抗の大なプラスチックフィルム１ｃによって断熱層１ｂ内への透過が阻止され、コンクリート壁と断熱層１ｂとの界面での内部結露の発生が大幅に低減出来、該パネル１を内側に備えた内断熱コンクリート壁４は、結露を起因とするカビ発生を抑制して、衛生的な住環境を提供する。
しかも、本発明に採用する壁パネルにあっては、図６（Ａ）に示す如く、断熱層１ｂ，２ｂ，２´ｂの両側縁には、上下全長に亘り、プラスチックフィルム１ｃ，２ｃ，２´ｃと近接した位置に、溝Ｇ１を設け、両側の壁パネル間に亘って該溝Ｇ１に差渡し状に防湿性のジョイント板を挿入し、両側の壁パネル側面を相欠け接合している。
溝Ｇ１の形成は、壁パネル１（２，２´）の両側面で相欠けｐ，ｑ加工時に、プラスチックフィルム１ｃ（２ｃ，２´ｃ）より間隔ｄ３（１mm）内側に、厚さＴ４（１mm）、幅ＷＧ（５０mm）の溝Ｇ１を、壁パネルの縦方向加工時に回転鋸で形成すれば良い。
そして、溝Ｇ１が存在するため、壁パネル１（２，２´）の相欠け接合時に、両パネル間接合部Ｊの両側の溝Ｇ１，Ｇ１に亘って塩化ビニル系、ポリエステル系等のプラスチック板で、防湿性の厚さ１mm、幅１００mm（Ｗ２５）のジョイント板２５を挿入することにより、壁型枠組み時のパネル相互の不陸の発生が抑制出来ると共に、内断熱コンクリート壁としても、壁パネル接合部Ｊでの透湿阻止機能劣下に対する補強が出来、壁全面に亘って均斉な防湿機能が付与出来る。
【０００９】
また、木質構造用パネル１ａはプラスチックフィルム１ｃを介した断熱層１ｂとの層着であるので、断熱層１ｂには従来例の下地材埋設部の如き欠損部がなく、壁全面に亘って均一な断熱機能を発揮し、熱橋がない。
従って、本発明コンクリート壁構造は、壁パネル１（２，２´）自体が型枠金具挿入孔ｈを備えて型枠（せき板）を兼用するので、現場に於けるコンクリート壁の型枠組み作業が大幅に合理化出来ることと、内装パネルの釘打ち張設作業を不要としたこととが相俟って、従来例での内断熱コンクリート壁施工より、施工コストの大幅な低減の下に、従来の内断熱コンクリート壁で得られる住環境よりも、断熱面、結露防止面ではるかに高性能、且つ、衛生的な住環境の内断熱コンクリート壁が得られる。
【００１０】
また、本発明に用いる防湿断熱壁パネルは、木質構造用パネル１ａ、断熱層１ｂが平坦な平板壁パネル１であるのが好ましい。
一般に、鉄筋コンクリート建築物は、平坦なコンクリート壁が多く、従って、平板壁パネル１は多くの需要に応えることが出来、建物のコーナー部でのパネル間接合を注意深く実施すれば、殆どの鉄筋コンクリート壁構造の型板兼断熱層として適用出来る。
【００１１】
また、図２（Ａ）に示す如く、出隅コーナー部Ｃには、断熱層２ｂを外側に、木質構造用パネル２ａを内側として直交接合した出隅壁パネル２を用いるのが好ましい。
この場合、コーナー部Ｃでの断熱層１ｂ端部への直交形態の断熱層１ｂの側面の直交接合Ｊｙは、相欠け接着接合すれば良く、断熱層１ｂは肉厚であるので、直交（直角）形態維持は可能である。
そして、適正な寸法出しの下での工場生産品として所望出隅壁パネル２を製作しておき、コンクリート壁型板１Ｆとして平板壁パネル１と併用するため、コンクリート壁型枠のコーナー部の出隅精度の保持が容易なことと、各壁パネル１，２が型枠金具挿入孔ｈを備えていることとが相俟って、型組み作業が合理化出来る。
しかも、出隅壁パネル２も平板壁パネル１同様の断熱、防湿機能を有するため、内断熱コンクリート壁構造は、きれいな出隅構造を備え、断熱機能面でも、結露防止面でも均斉、且つ高性能を発揮し、住環境の優れたものとなる。
【００１２】
また、図２（Ｃ）に示す如く、入隅コーナー部Ｃ´には、断熱層２´ｂを内側に、木質構造用パネル２´ａを外側として直交接合した入隅壁パネル２´を用いるのが好ましい。
この場合、適正な寸法出しの下での工場生産品として入隅壁パネル２´を製作しておけば、必要に応じて平板壁パネル１及び出隅壁パネル２と併用することにより、壁面に入隅部Ｃ´の存在する複雑な壁面のコンクリート壁構造であっても、コーナー部（出隅部Ｃ、入隅部Ｃ´）での精度の保持された型枠組みが容易となり、コンクリート壁構築施工も合理化出来、壁面全面が均斉な断熱性と内部結露防止性能を有する内断熱コンクリート壁構造が得られる。
【００１３】
また、壁パネルの断熱層１ｂ，２ｂ，２´ｂが、押出法ポリスチレンフォームであるのが好ましい。
この場合、断熱層は、均質、均等寸法物として得られるばかりか、従来のコンクリート壁付設断熱材として用いられているビーズ法ポリスチレンフォームと比して、透湿抵抗が約２倍で、吸水量が極端に小（約１／１００）で、水分蓄積率が約１／２となり、コンクリート型板として用いれば、ビーズ法ポリスチレンフォームの使用の場合よりも、吸湿による断熱性能の低下の抑制、及び内部結露の抑制の面で遥かに優れた内断熱コンクリート壁構造が得られる。
【００１４】
また、本発明のコンクリート壁構造に用いる防湿断熱壁パネルの防湿性のプラスチックフィルム１ｃ，２ｃ，２´ｃが、透湿抵抗の大なポリエチレンフィルムであるのが好ましい。
この場合、ＪＩＳＡ６９３０の規定による住宅用プラスチック系防湿フィルムであっても、従来の汎用品である３００ｍ２．ｈ．mmHg／ｇのものは、若干の内部結露を生ずるため、９００ｍ２．ｈ．mmHg／ｇの０．１mm厚のポリエチレンフィルムを採用し、両面に塗布する接着剤としては、アクリル樹脂系のエマルジョン接着剤を片面４０ｇ／ｍ２（厚さ０．０４mm）で塗布するのが好ましい。
従って、内断熱コンクリート壁は、防湿断熱壁パネル１（２，２´）が、プラスチックフィルム１ｃ（２ｃ，３ｃ）によって強固に層着され、且つ、木質構造用パネル側から断熱層側への高い透湿阻止機能を備えているため、断熱層とコンクリート壁との界面での結露の抑制出来るものとなる。
【００１５】
また、本発明に用いる壁パネルは、図１、図２に示す如く、壁パネル１，２，２´の上端には、全幅に亘って木質構造用パネル１ａ，２ａ，２´ａから小寸の断熱層むき出し部１ｂ´，２ｂ´，２´ｂ´を形成しておき、成形断熱材３ｂと木質構造用板３ａとを、防湿性フィルム３ｃで層着した床スラブパネル３を、木質構造用板３ａを下面に、且つ成形断熱材３ｂの側面を該むき出し部１ｂ´，２ｂ´，２´ｂ´に当接配置するのが好ましい。
この場合、該むき出し部１ｂ´，２ｂ´，２´ｂ´の存在により、図３（Ｃ）の如く、床スラブＳ下面への熱橋抑制用の床スラブパネル３の配置に際し、壁パネル１（２，２´）の断熱層１ｂ（２ｂ，２´ｂ）と床スラブパネル３の断熱層３ｂとの当接連続配置することにより、両パネル１，３の配置作業が容易であるのは勿論、コンクリート壁４の内壁面からコンクリート床スラブＳ外周部の下面へと断熱層で連続被覆出来るため、コンクリート壁４から熱橋の生じ易い床スラブ周辺部の下面での床スラブパネル３による熱橋抑制のための断熱補強が完全となる。
【００１６】
また、図１（Ｃ）に示す如く、断熱層１ｂ（２ｂ，２´ｂ）の上下接合部Ｊｓのプラスチックフィルム１ｃ（２ｃ，２´ｃ）には、全幅に亘って補助防湿フィルム（補強フィルム）１ｃ´を配置するのが好ましい。
木質構造用パネル１ａ（２ａ，２´ａ）は，構造材であるため１枚で使用するが、一般に断熱層１ｂ（２ｂ，２´ｂ）を形成する断熱材は市販品を入手して必要寸法に継ぎ足し利用するのが合理的であり、この場合、断熱材のパネル内での接続部Ｊｓに補助防湿フィルム１ｃ´を増張りすれば、透湿し易いパネル内接続部Ｊｓでの透湿阻止機能が増大し、断熱層１ｂ（２ｂ，２´ｂ）は、接続使用品であっても支障なく採用出来る。
従って、市販断熱材の合理的使用が可能となり、壁パネル１（２，２´）は製作面、コスト面で合理化出来、本発明コンクリート壁構造の建築コスト低減に有利である。
【００１８】
本発明に用いる壁パネル１（２，２´）相互は相欠け接合であり、該相欠け接合は、パネル間接合部Ｊでは、型枠内に打設した未固化コンクリート（フレッシュコンクリート）のノロ漏れを防止し、断熱層内にコンクリートが浸入して熱橋となることを阻止し、断熱性能を保持するには有効であるが、接合部Ｊでは、透湿抵抗は、プラスチックフィルム１ｃが連続していなく、断熱層の透湿抵抗がプラスチックフィルム１ｃよりは小であるため、壁パネル１の接合部Ｊでは、室内側の空気中の水蒸気のコンクリート面までの移動を阻止する効果は小さい。
【００１９】
従って、壁パネルを内側型板として使用する時に、相欠け接合部Ｊでは、プラスチックフィルム１ｃの近接位置で両側の溝Ｇ１，Ｇ１に亘って防湿性のジョイント板２５を嵌入することにより、接合部Ｊでの両側からのプラスチックフィルム１ｃの当接面での透湿阻止機能低下を好適に補償出来、該壁パネル１（２，２´）を採用した本発明コンクリート壁４は、壁面全面に亘って熱橋を阻止し、且つ、透湿による内部結露を阻止する、優れた鉄筋コンクリート内断熱壁構造となる。
【００２０】
また、本発明に採用する壁パネルにあっては、図６（Ｂ）に示す如く、溝Ｇ１から木質構造用パネル１ａ，２ａ，２´ａの表面に亘り、溝Ｇ１と連通する切欠Ｊｃを上下全長に亘って配し、中央に突片２５Ｐを備えたジョイント板２５ｂを、突片２５Ｐを両側の切欠Ｊｃで形成された溝Ｇ２内に嵌合して溝Ｇ１に挿入するのが好ましい。
この場合は、壁型枠形成時に、壁パネル１（２，２´）相互を接合した際には、中央部に突片２５Ｐを備えた防湿性のジョイント板２５ｂを、両側の溝Ｇ１，Ｇ１に亘り、且つ、突片２５Ｐを溝Ｇ２に嵌入することにより配置可能となり、コンクリート壁４形成後は溝Ｇ２及び突片２５Ｐが室内側での目地としての美観を呈する。
勿論、該溝Ｇ２には、柔軟性のあるパテを充填して経年ヒビ割れを防止しても良い。
【００２１】
また、図６（Ｃ）に示す如く、防湿性ジョイント板２５として、中央部の突片２５Ｐが隙間閉止用の頭部２５Ｐ０を備えた断面Ｈ形状のジョイント板２５ｃを採用することも可能である。
この場合は、頭部２５Ｐ０がパネル間の接合隙間をきれいに閉止するため、木質構造用パネル１ａ（２ａ，２´ａ）をそのまま内装仕上材とする場合に有利であり、ジョイント板２５ｃはパネル相互の接合部Ｊでの透湿防止兼、目地仕上材として機能する。
【００２２】
また、本発明に採用する壁パネルにあっては、図７に示す如く、断熱層１ｂ，２ｂ，２´ｂの中間適所に、プラスチックフィルム１ｃ，２ｃ，２´ｃで覆われ、且つ、壁パネル１，２，２´を上下に貫通している溝Ｇ３を配置するのが好ましい。
この場合、溝Ｇ３は、コンセントなどに配線するための、径１．６mmの電線を２本内臓するビニル絶縁平形電線（ＶＶＳ線）２６（９．５mm×６．２mm）を挿入するものであり、壁及び床スラブ型枠を形成後、平形電線２６を上方から下方に挿入すれば良い。
尚、溝Ｇ３は、配線作業をスムーズに実施出来る程度とすべきであり、幅Ｗ９を３０mm、深さＴ５を２０mmとすれば良い。
勿論、プラスチックフィルム１ｃ（２ｃ，２´ｃ）は損傷を受けないため、壁パネル全面に亘って均斉な透湿阻止機能を保証する。
【００２３】
従って、従来は、下地組込みパネルを立設後に慣用のＣＤ管、断熱材を被覆したボックスを配置し、コンセント部の断熱層を開口し、次いで、石膏ボード張着後、石膏ボードにコンセント部の穴を開け、ＣＤ管内に電線を通し、電線とコンセントを結線し、次いでコンセントを石膏ボードに固定し、コンセントをネジ固定していたが、本発明にあっては、パネル立設、及び壁、床スラブ型枠形成後、床スラブ型枠上からパネルの溝Ｇ３に電線を挿入し、パネル上端辺と床スラブ断熱補強パネル３との接合部に布テープを張って溝Ｇ３内へのコンクリートの浸入を防止し、コンクリート打設後、木質構造用パネル１ａを開口し、電線を取出してコンセントと結線し、パネル１ａ開口部で溝Ｇ３内の断熱層と木質構造用パネルとの隙間にエポキシ樹脂パテを充填すれば良い。
【００２４】
そして、溝Ｇ３内の空気は移動が阻止されて空気断熱層となり、本発明コンクリート壁４は、溝Ｇ３の存在によっても断熱効果は低減しない（熱伝導率は、空気が０．０２０７kcal／mh℃、断熱層１ｂが０．０２７kcal／mh℃）。
従って図７に示す、溝Ｇ３を備えた壁パネル１を用いて本発明の内断熱コンクリート壁を形成すれば、壁の断熱性能、及び透湿阻止性能を低下させることなく、壁内電気配線が簡便、且つ容易となる。
【００２５】
【発明の実施の形態】
〔平板壁パネル１（図１）〕
木質構造用パネル１ａとしては、日本農林規格の構造用パネルとしての適合品の、パネル厚Ｔ１が９．５mm、幅９１０mm、長さ２７３０mmの板材を用意する。断熱層１ｂとしては、押出法ポリスチレンフォーム成形板（ＪＩＳＡ９５１１）で厚さ５０mm、幅９１０mm、長さ１８２０mmのものを用意する。
防湿性プラスチックフィルム１ｃとしては、厚さ０．１mm、幅９１０mm、長さ３０mmのポリエチレン単体フィルム（単一のプラスチック材料により構成されるフィルム）を用い、表裏両面にそれぞれアクリル樹脂系エマルジョン接着剤を４０ｇ／ｍ２（厚さ０．０４mm）を塗布し、片面に剥離紙を貼付した形態で用意する。
【００２６】
壁パネル１の製作は、作業台（図示せず）上に、定形の木質構造用パネル（厚さ９．５mm×幅９１０mm×長さ２７３０mm）を載置し、該定形の構造用パネル上に幅９１０mmのポリエチレンフィルムを載置して定寸（２７３０mm）切断し、貼着する。
尚、図７に示す縦方向溝Ｇ３は、予め幅Ｗ９（３０mm）深さＴ５（２０mm）で且つ、両側からＷ７（２５０mm）の位置に２本切削しておく。
【００２７】
次いで、ポリエチレンフィルムの剥離紙をはがし、長さ１８２０mmのポリスチレンフォーム板と、同一フォーム板の９１０mm長の切断片を継ぎ足して載置し、ポリエチレンフィルムと層着し、壁パネル１用のパネル１６とする。
この場合、図１（Ｃ）に示す如く、ポリスチレンフォーム１ｂの接合部Ｊｓには全幅に亘って幅Ｌ６が１００mmの補助フィルム１ｃ´を介在させる。
【００２８】
次いで、図５（Ａ）の如く、木製の大引き１２ａを床に敷き並べ、大引き１２ａ上に根太１２ｂを直角方向に適宜間隔で数本配置し、厚さ１８mm、幅９１０mm、長さ２７３０mmの構造用合板１３ａを根太１２ｂに載置して釘打ち固定して定盤Ｂとし、定盤Ｂ上に加工前のパネル１６（幅９１０mm×長さ２７３０mm×厚さ５９．５mm）を多数枚（標準：３０枚）積み重ね、上方から構造用合板１３ｂ（幅９１０mm×長さ２７３０mm×厚さ１８mm）を載置し、上部には、根太１２ｂと同寸の天端材１２ｃを根太１２ｂと同間隔で配置し、根太１２ｂと天端材１２ｃとにチェーン１４を掛け、ターンバックル１５で締付けして一定時間（２４時間）放置し、各パネル１６を強固な積層一体化物とする。
この場合、大引き１２ａと根太１２ｂとは固定していたいため、大引き１２ａと構造用合板１３ａとの隙間にフォークリフトの爪を挿入してチェーン掛けしたパネル１６束の移動運搬が可能である。
【００２９】
次に、図５（Ｂ）の作業チャート図で入口側Ｉから出口側Ｏに示す如く、一方向より加工前のパネル１６をローラー付作業台２２に載置して、パネル１６の接着、損傷の検査をして長さ方向の切断、相欠けｐ，ｑを形成する加工機１７にパネル１６を挿入し、パネルの幅Ｗ１（８９５mm）を揃え、断熱材１ｂに相欠けｐ，ｑ加工、及び溝Ｇ１加工する。
次いで、加工状況を目視して幅方向の切断をする加工機１８にパネルを挿入し、パネルの長さＬ１（２６４０mm）に揃え、且つ、パネル上方の断熱層むき出し部１ｂ´の木質構造用パネルを切断し、取出す。
【００３０】
次いで、壁パネル１の寸法チェックをし、セパレーター孔（型枠金具挿入孔）ｈを穿設するための孔開機１９によって、径９mmの孔ｈを１枚のパネルの所定位置に同時に穿設し、最終チェックを検査場所２０で行い、パネルの一側面（右側端辺）１Ｒに手作業で、溝Ｇ１を閉止しないように、両面に接着剤を塗布し、表面に剥離紙を有するポリエチレンフィルム（図示せず）を貼着し、梱包場所２１で製品梱包し、出荷する。
【００３１】
得られた平板壁パネル１は、図１に示す如く、幅Ｗ１が８９５mmで全長Ｌ１が２６４０mmであり、両側端からＷ４（２２５mm）の線上で、木質構造用パネル１ａの下端及び上端から１５０mmの位置、及び中間に間隔Ｌ４（５７４mm）置いて型枠金具挿入孔ｈが穿孔し、両側面１Ｒ，１Ｌでは、断熱層１ｂの厚さＴ２（５０mm）の中間で相欠けｐ，ｑを有し、木質構造用パネル１ａの上端には幅Ｌ５（３９．５mm）の断熱層むき出し部１ｂ´を備え、更に断熱層１ｂ両側面には、図６（Ａ）の如く、ポリエチレンフィルム１ｃからｄ３（１mm）の近接位置に幅ＷＧが５０mmで厚さＴ４が１mmの溝Ｇ１を全長に亘って備え、木質構造用パネル１ａの両側から寸法Ｗ７（２５０mm）の位置に、幅Ｗ９が３０mmで深さＴ５が２０mmの上下貫通の溝Ｇ３をポリエチレンフィルム１ｃで被覆された形態のものとなる。
【００３２】
〔出隅壁パネル２（図２（Ａ），（Ｂ））
出隅壁パネル２は建物出隅の直角精度を保持するために使用するものであって、パネル２の構成部材としての断熱層２ｂ、両面接着ポリエチレンフィルム２ｃ、及び木質構造用パネル２ａは平板パネル（図１）と同一であり、長さも同一であり、細幅のパネル片を等辺山形状に配置したものである。
【００３３】
即ち、図２（Ａ），（Ｂ）に示す如く、木質構造用パネル２ａは幅Ｗ２が２９０mmで平板壁パネル１の木質構造用パネル１ａを１／３幅に切断して仕上げたものであり、平板壁パネル１と同一厚さＴ（５９．５mm）、同一長さＬ１（２６４０mm）であり、平板壁パネル１同様に、断熱層２ｂの側面には深さｄ１（１０mm）の相欠けｐ、ｑを、パネル面には出隅Ｃより幅Ｗ５（１５０mm）位置で長さ方向は平板壁パネル１と同一寸法に型枠金具挿入孔ｈを配置し、木質構造用パネル２ａの上端には断熱層むき出し部２ｂ´を備えたものであり、パネル２のコーナー部Ｃでは、図３（Ｂ）に示す如く、右方パネル片ＲＰ及び左方パネル片ＬＰを予め用意しておき、一方の断熱層２ｂの端部に他方の断熱層２ｂの側面を直交接合部Ｊｙで相欠け接着したものである。
勿論、平板壁パネル１同様にプラスチック板２５挿入用の溝Ｇ１も備えており、電線挿入用溝Ｇ２は、必要に応じて配置する。
【００３４】
〔入隅壁パネル２´（図２（Ｃ），（Ｄ））
入隅壁パネル２´は、図２（Ｃ），（Ｄ）に示す如く、木質構造用パネル２´ａが外側を占め、断熱層２´ｂが内側を占める形態のパネルであり、出隅壁パネル２と同様に、両側の断熱層の直交接合部Ｊｙでは断熱層２´ｂ相互を相欠け接着したものである。
従って、パネル２´の幅Ｗ２は木質構造用パネル幅Ｗ２（２９０mm）である。勿論、パネル両端の断熱層側面にはｄ１（１０mm）の相欠けｐ，ｑ、及びプラスチック板２５挿入用の溝Ｇ１を配置し、型枠金具挿入用孔ｈも、出隅壁パネル２同様に木質パネル２´ａのコーナー部Ｃ´からＷ５（１５０mm）の位置に、且つ、上下寸法は平板壁パネル１及び出隅壁パネル２同一位置に配置する。
尚、電線挿通用溝Ｇ３は必要に応じて配置する。
【００３５】
〔コンクリート壁の構築（図３、図４）〕
図４（Ａ）は、内断熱鉄筋コンクリート壁型枠の平板壁パネル１使用部での部分横断面図であり、図４（Ｂ）は、該壁型枠の部分斜視図である。
該壁型枠は、図４（Ｂ）に示す如く、壁鉄筋を組立後、床スラブ表面Ｓｆの熱橋防止用に形成した段差ｄ２（２０mm）低くなった部分に、壁パネル１の立設位置に符号して桟木８ａをコンクリート釘で固定し、次いで、上下適所に桟木８ｂ，８ｃを固定した壁パネル１を下方の桟木８ｂを床スラブ上の桟木８ａと合致させて固定し、慣用の筋違桟木、パイプサポート、チェーン等で立設仮固定する。
【００３６】
同様に並列接続した壁パネル１，２，２´も立設仮固定し、壁パネル１の径９mmの型枠金具挿入孔ｈに慣用の型枠金具５（セパレータ５ａ、ＫＰコン、セパレータ５ｃ、Ｐコン５ｄ）を挿入し、外側型板６と壁パネル１とを、型枠金具５とフォームタイ９ａ締着連結する。
また、壁パネル１の並列接続部Ｊでは、パネル１の一側面の相欠けｐ，ｑに予め貼着した両面接着ポリエチレンフィルムの表面側の剥離紙をはがして、相欠け接着接合し、当接壁パネル相互の溝Ｇ１に亘って防湿性のジョイント板２５を差し込む。
【００３７】
そして、図４（Ｂ）に示す如く、桟木８ｂ上に縦端太パイプ７ａを間隔３８０mmで壁パネル１の木質構造用パネル１ａに当接して立設し、次いで、慣用の横端太パイプ７ｂを間隔５７５mmで各段２列に配置してフィームタイ９ａがリブ座金９ｂを挿通する形態で、リブ座金９ｂを横端太パイプ７ｂに当接し、フォームタイ９ａにナット９ｃを締着して、縦横端太パイプ７ａ，７ｂを固定し、慣用手段で実施した外側の型板（合板）６と壁パネル１の断熱層１ｂとでコンクリート壁型枠を形成する。
【００３８】
勿論、コンクリート壁の出隅部、入隅部となる個所には、それぞれ、平板壁パネル１に出隅壁パネル（コーナーパネル）２、入隅壁パネル（コーナーパネル）２´を相欠け接合配置する。
次いで、図４（Ｂ）の如く、床スラブ表面Ｓｆにパイプサポート１０を立設し、端太パイプの大引き７ｃ、根太７ｄ、桟木８ｅを配置して、桟木８ｅに床スラブＳ用の型枠合板６を釘打ち固定して床スラブＳの型枠を構成する。
【００３９】
また、床スラブＳの外周の断熱補強は、図３（Ｃ）に示す如く、壁パネル１同様の断熱層３ｂ（３０mm厚）、木質構造用パネル３ａ（９．５mm厚）を０．１mm厚のポリエチレンフィルム３ｃの両面に接着剤を塗布して一体化層着した床スラブパネル３、即ち、断熱層厚のみ壁パネル１より薄くした床スラブパネル３（厚さ３９．５mm）を、外側型板より幅Ｌ７（６００mm）を占めるように、外側は桟木８ｃに、内側は大引き７ｃ´に載置し、床スラブ３の断熱層３ｂ前端面を壁パネル１の断熱層むき出し部１ｂ´に接着し、パネル３を桟木８ｃ、及び桟木８ｅにプラスチック製の釘で固定し、床スラブの配筋組立てをする。
【００４０】
また、床スラブＳの上面外周部の床スラブ段差ｄ２（２０mm）には、スラブ受金具１１を床スラブパネル３にプラスチック製の釘で固定し、上方に桟木８ｆを載置固定して段差仕切型枠を構成する。
次いで、壁型枠内及び床スラブ型枠にコンクリートを打設し、コンクリートが指定強度を発現すれば、適宜型枠を解体し、本発明の内断熱コンクリート壁構造を得る。
尚、コンクリート型板として用いた壁パネル１及び床スラブパネル３の断熱層１ｂ，３ｂとコンクリートとの付着は、コンクリート凝固に伴い、７日で２００Ｎ／cm２の付着強度となり、コンクリートと各パネルは強固に固着する。
【００４１】
また、床スラブＳの外周部の下面の床スラブパネル３に対応して配置した、コンクリート壁外面からＬ７（６００mm）までの床スラブ上面の床スラブ段差ｄ２（２０mm）には、厚さ１０mmの現場発泡ウレタン２３を吹付け、その上に厚さ１０mmの樹脂モルタル２４を塗布すれば、床スラブ外周部の表面に断熱性、及び強度保持が出来、コンクリート壁４から床スラブＳを経て床スラブ外周面に至る熱橋は、床スラブ下面の床スラブパネル３と床スラブ上面の現場発泡ウレタン２３とにより緩和抑制出来る。
【００４２】
そして、壁パネル１の内装表層材としての木質構造用パネル１ａ，２ａ，２´ａのくぼみ穴、割れに合成樹脂エマルジョンパテ（ＪＩＳＫ５６５５）で充填修復して表面を平滑にし、塗装、クロス貼り等の仕上げを施す。
勿論、木質構造用パネル１ａ，２ａ，２´ａをそのまま仕上材としても良く、サンドペーパーで研磨して仕上材としても良い。
【００４３】
以上の実施形態で得られる鉄筋コンクリート造の内断熱コンクリート壁構造は、木質構造用パネル１ａ，２ａ，２´ａと断熱層１ｂ，２ｂ，２´ｂとの間のポリエチレンフィルム１ｃ，２ｃ，２´ｃが大きな透湿抵抗（９００ｍ２．ｈ．mmHg／ｇ）を有するため、従来の内断熱コンクリート壁での、室内の水蒸気が内装材、断熱材を通過して冬期の冷たいコンクリートに触れて、コンクリート壁４と断熱層との間に生じていた内部結露が、大幅に低減抑制出来、内部結露を起因とするカビ発生が抑制出来、衛生的な住環境を提供する。
【００４４】
また、壁パネル１，２，２´は、断熱層１ｂ，２ｂ，２´ｂと木質構造用パネル１ａ，２ａ，２´ａとの一体化層着物であり、断熱層に欠落が生じていないこと、及び断熱層がビーズ法ポリスチレンフォームよりも、熱伝導率が低く、且つ透湿抵抗の大な押出法ポリスチレンフォーム材を用いたこととが相俟って、断熱機能が全面均斉、且つ高断熱となり、熱橋発生がない。
但し、断熱層には電線配置用の溝Ｇ３による欠落が生じるが、該溝Ｇ３も、木質構造用パネル１ａの開口部ではパテ充填で閉止されて溝Ｇ３内の閉塞空気が断熱材の役目を奏するため、溝Ｇ３の存在による断熱機能低下及び熱橋の発生はない。
【００４５】
また、建物のコーナー部（出隅部Ｃ、入隅部Ｃ´）でも、平板壁パネル１と同一の断熱性及び透湿防止性を備えた出隅壁パネル２及び入隅壁パネル２´を相欠け接合で配置するため、コンクリートのノロ（セメントペースト）漏れによる熱橋発生が阻止出来、しかも、各壁パネル１，２，２´間の接合部Ｊには防湿性のジョイント板（プラスチック板）２５を介在するため、パネル間接合部Ｊでの透湿阻止機能低下が補償出来、内断熱コンクリート壁の全壁面が均斉、且つ十分な断熱性及び透湿阻止性を具備し、熱橋及び内部結露の十分に抑制された、高性能な住環境を提供する。
【００４６】
そして、内断熱コンクリート壁の構築面からは、出隅壁パネル２及び入隅壁パネル２´は、木質構造用パネル２ａ，２´ａの幅Ｗ２を、標準平板壁パネル１の木質構造用パネル１ａを幅方向に３分割して２９０mm幅に形成し、出隅壁パネル２、入隅壁パネル２´が一定なので、壁長から出入隅パネル幅Ｗ２（２９０mm）を減じ、平板壁パネル１の幅Ｗ１（８９５mm）で割付け、１個所に幅調整用の平板壁パネルを配置すれば良く、壁パネルの割付けが容易となる。
【００４７】
また、壁型枠作業時も、各壁パネル１，２，２´間の接合が、左右両側パネル側面の相欠けｐ，ｑ接合であり、更に、左右両側パネル側面の溝Ｇ１へのジョイント板２５の嵌入で実施するため、各壁パネル１，２，２´間の接合部Ｊが前後方向均斉となり、前後方向不陸を修正する作業が合理化出来、壁パネル１，２，２´の立設配置が容易となる。
【００４８】
また、木質構造用パネル１ａ，２ａ，２´ａが内装の表層材を兼用しているので、コンクリート壁形成後は、現場に於ける石膏ボード等の内装材の釘打ち張着作業（５０ｍ２／人・日）が省略出来、従来の内断熱コンクリート壁と比べて工期の短縮が可能であると共に、内装材（石膏ボード）張着時に生ずる切断端材等の廃棄物も生じない。
しかも、木質構造用パネル１ａ，２ａ，２´ａは、フック、洋服掛け、カーテンレール等のネジ取付けも可能であると共に、熱伝導率が小さく（石膏ボードの１／２）て、室内気温の外側への伝達を阻止するため、表装面材（木質構造用パネル）の表面温度と室内気温との差が小さくて表面結露も防止出来、快適室温を保つことが出来る。
【００４９】
また、壁パネル１，２，２´は、床から床スラブ下までの長さとなっており、コンクリート打込みパネルとして型板（せき板）を兼用するので、現場に於ける型板（型枠）加工がない。
そして、壁パネル１，２，２´は、工場製作であり、製作過程で幅、長さが均斉で、木質構造用パネル１ａ、２ａ、２´ａの断熱層への積層一体化により曲げ剛性が大となっているので、コンクリート打設圧にも十分に対抗出来て、縦端太パイプを従来の型枠合板６では２３５mm間隔で配置する必要があったが、本発明に採用する壁パネルでは３８０mm間隔の配置で良くなったこと、更に、工場製作したコーナーパネル（出隅、入隅壁パネル）で建物の直角精度を確保することが出来ることより、壁パネル１，２，２´の立設作業性が良くなり、壁型枠組み作業の容易化、迅速化が可能となり、型枠組み作業面でも７％強のコスト低減となる。
【００５０】
また壁内への配線工事に関しても、従来は、コンセントのＣＤ管、ボックスの取付けは、鉄筋工事及び型枠工事の進捗に併せて作業を行なうため、各工事の進捗による待ち時間が多かったが、本発明の壁構築での配線工事にあっては、壁パネル１，２，２´内の配線用の溝Ｇ３を用いることにより、他業種作業の影響を受けずに、且つ、コンクリートの打設を待たずにコンセントの取付けが出来る。従って、電気工事は従来工事の如く、ＶＶＳ線（平型電線）をコンクリート内に配置しないため、ＣＤ管、コンセントボックスが不要となり、作業性の向上からコンセントの設置コストも、従来の５０％ダウンとなる。
【００５２】
【発明の効果】
本発明の防湿断熱壁パネルを用いた内断熱コンクリート壁構造は、採用する壁パネル１，２，２´を内断熱コンクリート壁型枠板として使用するため、型枠組み作業及び、型枠解体作業が容易となり、コンクリート壁４の形成後は、木質構造用パネル１ａ，２ａ，２´ａが室内側の表装材となって、従来の如き、内装板材の釘打ち張設作業が不要となり、表装作業も合理化出来る。
しかも、表装面材としての木質構造用パネル１ａ，２ａ，２´ａは、フック、洋服掛け、カーテンレール等のネジ取付けも可能であると共に、熱伝導率が小さく（石膏ボードの１／２）て、室内熱を外側に伝達するのを阻止するため、表装面材の表面温度と室内気温との差が小さくて表面結露も防止出来、快適な室温を保つことが出来る。
従って、従来の内断熱コンクリート壁（図８）と比べて居住性の優れた高性能な内断熱コンクリート壁が、大幅な建築コスト低減で提供可能となる。
【００５３】
更に、得られる内断熱コンクリート壁構造は、防湿性プラスチックフィルム１ｃの存在により、室内側から木質構造用パネル１ａ，２ａ，２´ａを透過する水蒸気の断熱層１ｂ，２ｂ，２´ｂ内への透過を阻止し、壁パネル１（２，２´）の接合部Ｊにも、防湿性のジョイント板２５が存在して壁パネル接合部Ｊでの透湿阻止機能低下を抑制し、壁全面に亘って均斉な防湿機能を付与しているため、コンクリート壁４と断熱層１ｂ，２ｂ，２´ｂとの界面での内部結露の発生が大幅に低減出来、結露を起因とするカビやダニの発生が抑制出来、内装材、内装下地材等の建物形成材及び室内の家財道具や衣料品の損傷が防げると共に、居住者のアレルギー性発症も抑制出来る、優れた住環境の提供が可能となる。
【００５４】
また、断熱層１ｂ，２ｂ，２´ｂは、プラスチックフィルム１ｃを介した木質構造用パネル１ａ，２ａ，２´ａとの層着であって、従来（図８）の如き、下地材での肉厚の欠損のない全面等厚物であるので、壁全面に亘って設計値どおりの均一な断熱機能を奏し、熱橋を均斉に抑制する。
従って、本発明の内断熱コンクリート壁は、建築施工費が大幅に低減出来ると共に、十分な断熱機能、防湿機能を備えた高性能建築物の提供を可能とする。
【図面の簡単な説明】
【図１】本発明に採用する平板壁パネルの説明図であって、（Ａ）は一部切欠斜視図、（Ｂ）は（Ａ）のＢ部横断面図、（Ｃ）は（Ａ）のＣ部縦断面図である。
【図２】本発明に採用する壁パネルの説明図であって、（Ａ）は出隅壁パネル２の一部切欠斜視図、（Ｂ）は出隅壁パネルの頂面図であり、（Ｃ）は入隅壁パネル２´の一部切欠斜視図、（Ｄ）は入隅壁パネルの頂面図である。
【図３】本発明内断熱コンクリート壁の説明図であって、（Ａ）は水平断面図、（Ｂ）は（Ａ）のＢ部拡大図、（Ｃ）は縦断面図である。
【図４】本発明の型枠組み説明図であって、（Ａ）は水平断面図、（Ｂ）は斜視図である。
【図５】本発明に採用する壁パネルの製作説明図であって、（Ａ）は斜視図、（Ｂ）は作業チャート図。
【図６】本発明実施態様の説明平面図であって、（Ａ）は平坦なジョイント板２５ａの使用状態図、（Ｂ）は突片２５Ｐを備えたジョイント板２５ｂの使用状態図、（Ｃ）はＨ形ジョイント板２５ｃの使用状態図である。
【図７】本発明実施態様説明平面図であって、（Ａ）は溝Ｇ３の配置形態説明図、（Ｂ）は（Ａ）のＢ部拡大図である。
【図８】従来例図であって、（Ａ）はパネルの一部切欠斜視図、（Ｂ）は該パネルで構築した内断熱コンクリート壁構造の部分断面図である。
【符号の説明】
１：平板壁パネル（防湿断熱壁パネル、壁パネル）、
２：出隅壁パネル（防湿断熱壁パネル、壁パネル、コーナーパネル）
２´：入隅壁パネル（防湿断熱壁パネル、壁パネル、コーナーパネル）、
１ａ，２ａ，２´ａ：木質構造用パネル、
１ｂ，２ｂ，２´ｂ：断熱層、
１ｂ´，２ｂ´，２´ｂ´：断熱層むき出し部（むき出し部）、
１ｃ，２ｃ，２´ｃ：プラスチックフィルム（ポリエチレンフィルム）、
１ｃ´：補助防湿フィルム（補強フィルム）、
１Ｆ：内側型板（内側型枠）、          ３：床スラブパネル、
３ａ：木質構造用パネル（構造用板）、  ３ｂ：断熱層（断熱材）、
３ｃ：プラスチックフィルム（ポリエチレンフィルム）、
４：コンクリート壁、                ５：型枠金具、
５ａ，５ｃ：セパレータ、            ５ｂ：ＫＰコン、
５ｄ：Ｐコン、                      ６：外側型枠板（型板、型枠用合板）、７ａ，７ａ´，７ｂ，７ｂ´，７ｃ，７ｃ´：端太パイプ（端太）、
８ａ，８ａ´，８ａ“，８ｂ，８ｃ，８ｃ´，８ｄ，８ｅ，８ｆ：桟木、
９ａ，９ａ´：フォームタイ、        ９ｂ，９ｂ´：リブ座金、
９ｃ，９ｃ´：ナット、              １０：パイプサポート、
１１：受金具、                      １２ａ：大引き、
１２ｂ：根太、                      １２ｃ：天端材、
１３ａ，１３ｂ：構造用合板、        １４：チェーン、
１５：ターンバックル、              １６：切断加工前パネル、
１７，１８：切断加工機（加工機）、    １９：孔開機（加工機）、
２０：検査場所、                    ２１：梱包場所、
２２：作業台、                      ２３：現場発泡ウレタンフォーム、
２４：樹脂モルタル、
２５，２５ａ，２５ｂ，２５ｃ：ジョイント板（プラスチック板）、
２５Ｐ：突片、                      ２５Ｐ０：頭部、
２６：平型電線（電線、ＶＶＳ線）、
Ｃ：出隅部（コーナー部）、            Ｃ´：入隅部（コーナー部）、
ｄ２：床スラブ段差、                Ｇ１，Ｇ２，Ｇ３：溝、
ｈ：型枠金具挿入孔（セパレータ孔）、
Ｊ：パネル間接合部（接合部）、
Ｊｓ：上下接合部（断熱層接合面）、    Ｊｙ：直交接合部、
ＬＰ，ＲＰ：パネル片、
ｐ：側面凸部（相欠け）、              ｑ：側面凹部（相欠け）、
Ｓ：床スラブ、                      Ｓｆ：床スラブ表面
【図１】
0003810069.tif 000002
【図２】
0003810069.tif 000003
【図３】
0003810069.tif 000004
【図４】
0003810069.tif 000005
【図５】
0003810069.tif 000006
【図６】
0003810069.tif 000007
【図７】
0003810069.tif 000008
【図８】
0003810069.tif 000009